(57)【要約】  アルミ板を備えるアルミケースであって、前記アルミ板は、板本体を含み、前記板本体の少なくとも一面には、成形されたアルミケースの内面および外面の少なくとも一方の表面に絶縁層を有するように、前記絶縁層が付着されている。【選択図】図２
2020535623.tif 000002
【特許請求の範囲】
【請求項１】
アルミ板（１）を備えるアルミケースであって、前記アルミ板（１）は、板本体（１１）を含み、前記板本体（１１）の少なくとも一面に絶縁層（１２）が付着されていることを特徴とするアルミケース。
【請求項２】
前記アルミケースの内面に前記絶縁層（１２）を有することを特徴とする請求項１に記載のアルミケース。
【請求項３】
前記アルミケースの外面に前記絶縁層（１２）を有することを特徴とする請求項１に記載のアルミケース。
【請求項４】
前記アルミケースの内面および外面には、いずれも前記絶縁層（１２）を有することを特徴とする請求項１に記載のアルミケース。
【請求項５】
前記絶縁層（１２）は、プラスチックフィルムであることを特徴とする請求項１〜４のいずれか１項に記載のアルミケース。
【請求項６】
前記プラスチックフィルムは、ポリエチレンテレフタレート（ＰＥＴ）、又はポリプロピレン（ＰＰ）からなることを特徴とする請求項５に記載のアルミケース。
【請求項７】
前記アルミケースは、前記アルミ板（１）からプレス成形加工により成形されることを特徴とする請求項１〜４のいずれか１項に記載のアルミケース。
【請求項８】
前記絶縁層（１２）は、スプレーによって前記板本体（１１）の表面に付着することを特徴とする請求項１〜７のいずれか１項に記載のアルミケース。
【請求項９】
前記絶縁層（１２）は、熱プレスによって前記板本体（１１）の表面に付着することを特徴とする請求項１〜７のいずれか１項に記載のアルミケース。
【請求項１０】
前記絶縁層（１２）は、接着によって前記板本体（１１）の表面に付着することを特徴とする請求項１〜７のいずれか１項に記載のアルミケース。
【請求項１１】
前記アルミ板（１）には、前記アルミ板（１）がプレス延伸されている時に前記絶縁層（１２）と前記板本体（１１）とが相対的に移動可能になるように、前記絶縁層（１２）と前記板本体（１１）とが完全に固定されていないことを特徴とする請求項１０に記載のアルミケース。
【請求項１２】
前記アルミケースが延伸成形された後、前記絶縁層（１２）および前記板本体（１１）が脱落しないように、前記絶縁層（１２）および前記板本体（１１）が硬化することを特徴とする請求項１１に記載のアルミケース。
【請求項１３】
前記絶縁層（１２）の厚さは、０．０２ｍｍ〜０．１ｍｍであることを特徴とする請求項１〜７のいずれか１項に記載のアルミケース。
【発明の詳細な説明】
【技術分野】
【０００１】
本発明は、電池の技術分野に関し、例えば、アルミケースに関する。
【背景技術】
【０００２】
動力電池では、一般的に、１つの開口を有するボックス状構造であるアルミケースをケース構造のキャリア部材として使用し、アルミケースの開口に閉止されるカバーをケース構造の閉止部材として使用し、電池のケースが形成される。アルミケースは、アルミ板から直接に延伸成形されてもよく、電池が形成された後、アルミケースと、カバーと、正極セルとが接続され、いずれも正に帯電している。使用中に電池内部の短絡を回避するために、負極セルの外に絶縁膜が被覆され、負極セルがアルミケースの内面に接触して短絡することを回避する。しかし、電池の使用に伴い、特に、自動車などの移動キャリアに搭載されている動力電池などの電池は、負極セルがアルミケースの内面と絶えず摩擦する可能性があり、負極セルに被覆されている絶縁膜が破損すると、短絡が発生し、電池の廃棄を招き、さらには他の事故を引き起こす可能性がある。また、アルミ板の加工中に、アルミケースの内面に形成された金属粉塵は、電池内部の短絡を招き、安全事故を起こしやすい。
【発明の概要】
【０００３】
本発明は、成形後に内面および外面の少なくとも一方の表面に絶縁層を有し、金属粉塵を減少させ、電池の安全性を高め、電池の後続生産コストを低減させる、アルミケースを提案している。
【０００４】
本発明に係るアルミケースは、アルミ板を備えるアルミケースであって、前記アルミ板は、板本体を含み、前記板本体の少なくとも一面に絶縁層が付着されている。
【０００５】
好ましくは、前記アルミケースの内面に前記絶縁層を有する。
【０００６】
好ましくは、前記アルミケースの外面に前記絶縁層を有する。
【０００７】
好ましくは、前記アルミケースの内面および外面には、いずれも前記絶縁層を有する。
【０００８】
好ましくは、前記絶縁層は、プラスチックフィルムである。
【０００９】
好ましくは、前記プラスチックフィルムは、ポリエチレンテレフタレートＰＥＴ、又はポリプロピレンＰＰからなる。
【００１０】
好ましくは、前記アルミケースは、前記アルミ板からプレス成形加工により成形される。
【００１１】
好ましくは、前記絶縁層は、スプレーによって前記板本体の表面に付着する。
【００１２】
好ましくは、前記絶縁層は、熱プレスによって前記板本体の表面に付着する。
【００１３】
好ましくは、前記絶縁層は、接着によって前記板本体の表面に付着する。
【００１４】
好ましくは、前記アルミ板には、前記アルミ板がプレス延伸されている時に前記絶縁層と前記板本体とが相対的に移動可能になるように、前記絶縁層と前記板本体とが完全に固定されていない。
【００１５】
好ましくは、アルミケースが延伸成形された後、絶縁層および板本体が脱落しないように、絶縁層および板本体が硬化する。
【００１６】
好ましくは、前記絶縁層の厚さは、０．０２ｍｍ〜０．１ｍｍである。
【００１７】
本発明に係るアルミケースは、絶縁層を有するアルミ板を利用してアルミケースを製作することで、製作中に、アルミ板が加工されている間で金属粉塵の発生を減少させることができるとともに、絶縁層上の金属粉塵を洗浄しやすく、金属粉塵による電池内部の短絡のリスクを低減させ、アルミケースの外面の金属粉塵が他の部品に落下して安全上の問題を引き起こすことを回避することもできる。また、アルミケースの内面に絶縁層を有するため、使用中に、負極セル自体に被覆されている絶縁膜が破れても、負極セルがアルミケースの板本体に直接接触して導電することはなく、短絡を回避し、電池の安全係数を高める。
【図面の簡単な説明】
【００１８】
【図１】一実施例に係るアルミ板の構造模式図である。
【図２】一実施例に係るアルミケースの構造模式図である。
【図３】他の実施例に係るアルミ板の構造模式図である。
【図４】他の実施例に係るアルミケースの構造模式図である。
【図５】他の実施例に係るアルミ板の構造模式図である。
【図６】他の実施例に係るアルミケースの構造模式図である。
【発明を実施するための形態】
【００１９】
以下、本発明の技術案について、具体的な実施形態および図面を参照して説明する。
【００２０】
本実施例の説明では、「上」、「下」、「前」、「後」、「左」、「右」、「垂直」、「水平」、「頂」、「底」、「内」、「外」などの用語が指示する方位や位置関係は、図面に基づいて示した方位や位置関係であり、単に本実施例の説明しやすいようにためのものであり、デバイスやエレメントが特定の方位を有し、特定の方位で構成され、動作しなければならないことを指示したり暗示したりするのではなく、本実施例を限定するものと理解してはならない。
【００２１】
図２に示すように、表面に絶縁層を有するアルミケースを提供し、アルミケースが成形された後、内面および外面にはいずれも絶縁層１２を有する。このアルミケースは、図１に示すように、板本体１１を備えるアルミ板１からなり、成形されたアルミケースの内面および外面にはいずれも絶縁層１２を有するように、板本体１１の両面に絶縁層１２が付着されている。好ましくは、アルミケースは、アルミ板１からプレス成形され、例えば、プレス延伸により成形されてもよく、製造が容易である。絶縁層１２の厚さは、０．０２ｍｍ〜０．１ｍｍとし、絶縁性能および全体寸法を両立することができる。
【００２２】
本実施例では、絶縁層１２を有するアルミ板１を利用してアルミケースを製作することで、製作中に、アルミ板１が加工されている間で金属粉塵の発生を減少させることができ、絶縁層１２上の金属粉塵を洗浄しやすく、金属粉塵による電池内部の短絡のリスクを低減させ、アルミケースの外面の金属粉塵が他の部品に落下して安全上の問題を引き起こすことを回避することもできる。また、アルミケースの内面自体が絶縁層１２を有するため、使用中に、負極セル自体に被覆されている絶縁膜が破れても、負極セルがアルミケースの板本体１１に直接接触して導電することはなく、短絡を回避し、電池の安全係数を高める。アルミケースの内面に絶縁層を有すると、負極セルの外に絶縁膜を被覆しなくてもよく、後続の電池製造のコストを節約し、後続の電池製造の工程を簡素化できる。また、内面に絶縁層を有すると、電解液によるアルミケースの内面の腐食を回避することもできる。絶縁層１２を有するアルミ板を採用することで、アルミケースが製作された後、アルミケースの外面に絶縁層１２を有し、アルミケースやカバーなどで電池を組み立てた後、電池の外部に別途被膜を行う必要がなく、後続の電池の取り付け工程が簡素化されるとともに、後続の電池に別途被膜を行うコストが節約される。
【００２３】
図４に示すように、本実施例は、内面に絶縁層を有するアルミケースを提供し、アルミケースが成形された後、内面に絶縁層１２を有する。このアルミケースは、図３に示すような板本体１１を備えるアルミ板１からなり、成形されたアルミケースの内面に絶縁層１２を有するように、板本体１１におけるアルミケースの内面に対応する面には、絶縁層１２が付着されている。好ましくは、アルミケースは、アルミ板１からプレス成形され、例えば、プレス延伸により成形されてもよく、製造が容易である。絶縁層１２の厚さは、０．０２ｍｍ〜０．１ｍｍとし、絶縁性能および全体寸法を両立することができる。
【００２４】
本実施例では、絶縁層１２を有するアルミ板１を利用してアルミケースを製作することで、製作中に、絶縁層１２が位置する面が加工されている間で金属粉塵が発生することはなく、金属粉塵を減らすだけでなく、アルミケースの内面における金属粉塵も洗浄しやすく、金属粉塵による電池内部の短絡のリスクを低減させる。また、アルミケースの内面に絶縁層１２を有するため、使用中に、負極セル自体に被覆されている絶縁膜が破れても、負極セルがアルミケースの板本体１１に直接接触して導電することはなく、短絡を回避し、電池の安全係数を高める。アルミケースの内面に絶縁層を有する場合、負極セルの外に絶縁膜を被覆しなくてもよく、後続の電池製造のコストを節約し、後続の電池製造の工程を簡素化できる。また、内面に絶縁層を有することで、電解液によるアルミケースの内面の腐食を回避することもできる。
【００２５】
図６に示すように、本実施例は、外面に絶縁層を有するアルミケースを提供し、アルミケースが成形された後、外面に絶縁層１２を有し、別途被膜を行う必要がない。このアルミケースは、図５に示すような板本体１１を備えるアルミ板１からなり、成形されたアルミケースの外面に絶縁層１２を有するように、板本体１１におけるアルミケースの外面に対応する面に絶縁層１２が付着されている。好ましくは、アルミケースは、アルミ板１からプレス成形され、例えば、プレス延伸により成形されてもよく、製造が容易である。絶縁層１２の厚さは、０．０２ｍｍ〜０．１ｍｍとし、絶縁性能および全体寸法を両立することができる。
【００２６】
本実施例では、絶縁層１２を有するアルミ板１を利用してアルミケースを製作することで、絶縁層１２が位置する面が加工されている間で金属粉塵が発生することはなく、絶縁層１２の表面における金属粉塵を洗浄しやすく、アルミケースの外面の金属粉塵が他の部品に落下して安全上の問題を引き起こすことも回避する。絶縁層１２を有するアルミ板を採用することで、アルミケースが作成された後、アルミケースの外面に絶縁層１２を有し、アルミケースやカバーなどで電池を組み立てた後、電池の外部に別途被膜を行う必要がなく、後続の電池の取り付け工程が簡素化されるとともに、後続の電池に別途被膜を行うコストが節約される。
【００２７】
本実施例では、絶縁層１２をプラスチックフィルムとしてもよく、良好な絶縁性能を提供するように、高い絶縁性を持つプラスチックフィルムを採用してもよい。好ましくは、プラスチックフィルムは、ポリエチレンテレフタレート（ｐｏｌｙｅｔｈｙｌｅｎｅ  ｔｅｒｅｐｈｔｈａｌａｔｅ、ＰＥＴ）、又はポリプロピレン（ｐｏｌｙｐｒｏｐｙｌｅｎｅ、ＰＰ）などの材料からなっていてもよいし、他の良好な絶縁性能を持つ材料からなっていてもよい。
【００２８】
絶縁層１２は、板本体１１の表面にスプレー、熱プレス、又は接着などの様々な方式で付着されることができ、良好に付着できればよい。しかし、アルミ板１において、絶縁層１２と板本体１１とが完全に固定されていなく、絶縁層１２と板本体１１とが完全に固定されると、アルミ板１がプレス延伸される時に両者の伸びが異なるため、絶縁層１２が破れて機能しなくなってしまう恐れがある。したがって、本実施例では、絶縁層１２と板本体１１とが完全に固定されていなく、プレス成形の時に絶縁層１２と板本体１１とが相対的に移動可能になるように、ある程度の相対移動量を有するので、絶縁層１２が完全に保持され、絶縁層１２が破れることを回避することができる。
【００２９】
アルミケースが延伸成形された後、絶縁層１２および板本体１１は硬化処理が必要であり、硬化方式は様々で、例えば、接着層を加熱したり冷却したりすることで、アルミケースにおいて絶縁層１２および板本体１１が脱落しないように、接着層が硬化した後に絶縁層１２と板本体１１とが完全に固定される。
【産業上の利用可能性】
【００３０】
本発明に係るアルミケースは、絶縁層を有するアルミ板を利用してアルミケースを製作することで、製作中に、アルミ板が加工されている間で金属粉塵の発生を減少させることができるとともに、絶縁層上の金属粉塵を洗浄しやすく、金属粉塵による電池内部の短絡のリスクを低減させ、アルミケースの外面の金属粉塵が他の部品に落下して安全上の問題を引き起こすことを回避することもできる。また、アルミケースの内面に絶縁層を有するため、使用中に、負極セル自体に被覆されている絶縁膜が破れても、負極セルがアルミケースの板本体に直接接触して導電することはなく、短絡を回避し、電池の安全係数を高める。
【符号の説明】
【００３１】
１    アルミ板
１１  板本体
１２  絶縁層
【図１】
2020535623.tif 000003
【図２】
2020535623.tif 000004
【図３】
2020535623.tif 000005
【図４】
2020535623.tif 000006
【図５】
2020535623.tif 000007
【図６】
2020535623.tif 000008
【国際調査報告】
2020535623.tif 000009
2020535623.tif 000010
2020535623.tif 000011
2020535623.tif 000012